(57)【要約】  【課題】  本発明の目的は、低価格で、しかも作業の安全性に優れたガイド及びこれを用いたガイド付きカッターを提供することにある。  【解決手段】  本発明は、板状刃６と板状刃６を保持する握り手部５とを有するカッター本体２と、板状刃６の切り裂き方向と反対方向が開口するように折り曲げられて並行に延びる一対の腕部９、９とを有する剛性棒状体からなるガイド３と、ガイド３をカッター本体２の先端部に固定する固定部材４とを有するガイド付きカッター１であって、ガイド付きカッター１を板状刃６の切り裂き方向から見た時、一対の腕部９、９の間に板状刃６の刃先が位置するように、かつガイド付きカッター１を板状刃６の切り裂き方向と垂直の方向から見た時、板状刃６の刃先が板状刃６の切り裂き方向と反対の方向が開口するように折り曲げられた腕部９、９の内側に位置するようにガイド３がカッター本体１に固定されていることを特徴とする。  【選択図】  図１
2008113974.tif 000002
【特許請求の範囲】
【請求項１】
カッター本体に装着され、該カッター本体の刃の切り裂き方向と反対方向が開口するように折り曲げられて並行に延びる一対の腕部とを有する剛性棒状体からなるガイドであって、該ガイドはこのガイドが装着されたガイド付きカッターを前記刃の切り裂き方向から見た時、前記一対の腕部の間に前記刃の刃先が位置するように、かつこのガイド付きカッターを前記刃の切り裂き方向と垂直の方向から見た時、前記刃の刃先が前記刃の切り裂き方向と反対の方向が開口するように折り曲げられた腕部の内側に位置するように前記カッター本体に装着されることを特徴とするガイド。
【請求項２】
刃と該刃を保持する握り手部とを有するカッター本体と、前記刃の切り裂き方向と反対方向が開口するように折り曲げられて並行に延びる一対の腕部とを有する剛性棒状体からなるガイドと、該ガイドを前記カッター本体の先端部に固定する固定部材とを有するガイド付きカッターであって、このガイド付きカッターを前記刃の切り裂き方向から見た時、前記一対の腕部の間に前記刃の刃先が位置するように、かつこのガイド付きカッターを前記刃の切り裂き方向と垂直の方向から見た時、前記刃の刃先が前記刃の切り裂き方向と反対の方向が開口するように折り曲げられた腕部の内側に位置するように前記ガイドが前記カッター本体に固定されていることを特徴とするガイド付きカッター。
【請求項３】
前記ガイドの一対の腕部の間隔は、このガイド付きカッターを用いて研削あるいは切断を行う対象物の外径よりもわずかに広く形成されていることを特徴とする請求項２記載のガイド付きカッター。
【発明の詳細な説明】
【技術分野】
【０００１】
本発明は、円柱状あるいは角柱状のもの等、ある一定以上の長さを有する対象物自身を研削したり切断したり、あるいはこれら対象物が被覆層を有する場合には、この被覆層を切断等するために使用するガイド付きカッターに関するものである。
【背景技術】
【０００２】
ガイド付きカッターを用いて研削したり切断したりする好適な対象物に、例えば、ケーブルがある。
従来から、ケーブル同士の接続や、ケーブルを構成する心線の特性検査等の目的で、メタル通信ケーブル、光通信ケーブルあるいは電力ケーブル等のケーブル端末部あるいはケーブル長手方向の任意の位置においてその外被を剥ぎ取るためにケーブルストリッパーがよく用いられている。
このケーブルストッパーとして、市販されているカッターにほぼ近い形状のカッター、例えば、特許文献１に開示されているようなガイド付きカッターをそのまま用いてケーブルストリッパーとして用いる場合が多々ある。
【０００３】
【特許文献１】特開平１１−１７９０７３号公報
【発明の開示】
【発明が解決しようとする課題】
【０００４】
前記特許文献１に開示されているガイド付きカッターの場合には、低価格で入手でき、しかも板状刃を保持している握り手部に対してスライド可能な板状刃は、切れ味が悪くなったら直ぐに先端部を折って刃先を新しいものに交換可能で、使い勝手も極めてよい、という利点がある。
しかしながら、このような市販のカッターを用いてケーブルの外被を剥ごうとすると、平面状のものを切断する場合とは異なり、断面が円形のケーブルの場合、作業勝手が悪く、そのため手が滑ってカッターがケーブルから外れ、勢いあまって作業者の体、特に膝や腿の部分を傷付ける恐れがある。
【０００５】
このように、市販の、いわゆる汎用のカッターを代用品として用いると、価格は安く入手できるものの、断面が円形のケーブルのケーブルストリッパーとして用いるには、安全面で問題があった。
【０００６】
前記問題に鑑み本発明の目的は、低価格で、しかも作業の安全性に優れたガイド付きカッターを得るためのガイド及びガイド付きカッターを提供することにある。
【課題を解決するための手段】
【０００７】
前記目的を達成すべく本発明の請求項１記載のガイドは、カッター本体に装着され、該カッター本体の刃の切り裂き方向と反対方向が開口するように折り曲げられて並行に延びる一対の腕部とを有する剛性棒状体からなるガイドであって、該ガイドはこのガイドが装着されたガイド付きカッターを前記刃の切り裂き方向から見た時、前記一対の腕部の間に前記刃の刃先が位置するように、かつこのガイド付きカッターを前記刃の切り裂き方向と垂直の方向から見た時、前記刃の刃先が前記刃の切り裂き方向と反対の方向が開口するように折り曲げられた腕部の内側に位置するように前記カッター本体に装着されることを特徴としている。
【０００８】
また、請求項２記載のガイド付きカッターは、刃と該刃を保持する握り手部とを有するカッター本体と、前記刃の切り裂き方向と反対方向が開口するように折り曲げられて並行に延びる一対の腕部とを有する剛性棒状体からなるガイドと、該ガイドを前記カッター本体の先端部に固定する固定部材とを有するガイド付きカッターであって、このガイド付きカッターを前記刃の切り裂き方向から見た時、前記一対の腕部の間に前記刃の刃先が位置するように、かつこのガイド付きカッターを前記刃の切り裂き方向と垂直の方向から見た時、前記刃の刃先が前記刃の切り裂き方向と反対の方向が開口するように折り曲げられた腕部の内側に位置するように前記ガイド部材が前記カッター本体に固定されていることを特徴としている。
【０００９】
さらにまた、請求項３記載のガイド付きカッターは、請求項２記載のガイド付きカッターにおいて、前記ガイドの一対の腕部の間隔は、このガイド付きカッターを用いて研削あるいは切断を行う対象物の外径よりもわずかに広く形成されていることを特徴とするものである。
【００１０】
このようにしてなる本発明のガイド及びガイド付きカッターによれば、刃の先端を一対の腕部でガードしているため、仮に、例えば、ケーブルの被覆層である、いわゆる外被を剥ぐ作業を行っている最中に、手が滑ってカッターがケーブルから外れても、ガイド付きカッターの刃先が作業者の膝や腿に当る前にガイドの腕部が膝や腿に当って、刃がそれ以上作業者の膝や腿等に接近できなくなる。それ故、ケーブルの皮剥ぎ作業等を安全に行うことができる。
また、本発明におけるカッター本体には市販のカッターを用いることもできるので、その場合、ガイド付きカッターを低価格で入手できる利点もある。
【発明の効果】
【００１１】
以上のようにしてなる本発明によれば、低価格で、しかも作業の安全性に優れたガイド付きカッターを得るためのガイド及びガイド付きカッターを提供することができる。
【発明を実施するための最良の形態】
【００１２】
以下に図を用いて、本発明のガイド及びこれを装着したガイド付きカッターの一実施例を詳細に説明する。尚、言うまでもなく、本発明は以下に述べる実施例に限定されるものではない。
【００１３】
図１は、本発明のガイド及びこれを用いたガイド付きカッターの一実施例を示す斜視図である。図１に示すように、このガイド付きカッター１は、カッター本体２とこのカッター本体２の先端に固定されるガイド３と、カッター本体２の先端部にガイド３を固定する固定部材４とを有している。
そしてこのカッター本体２は、握り手部５と、この握り手部５内にスライド自在に収納され、保持されている刃、この場合には市販のカッターに用いられている板状刃６を有していて、この握り手部５は、握り手部５の先端から板状刃６の先端（刃先）を自在に出し入れできるように板状刃６の側面部に装着されたスライダー７を有している。
因みに、板状刃６の握り手部５の先端からの突出量を調整する場合には、ダイヤル状のスライダー７を緩め、その状態で板状刃６の先端位置を調整する。そして刃先の突出量の調整が終わったら、その位置でダイヤル状のスライダー７を締め付け、握り手部５に対して板状刃６を固定すればよい。
ところでこのカッター本体２としては、前記市販の汎用のカッターをそのまま用いることもできるし、板状刃以外の別の形状の刃を用いることもできる。
【００１４】
一方、ガイド３は、全体が剛性棒状体、具体的には少し太めの剛性の高い棒状体、例えば、外径２〜３ｍｍの硬めの針金を用いて形成されており、図２に示すように、カッター本体２の先端部に固定される固定部８と、この固定部８の両端から上部、すなわち、板状刃６の切り裂き方向と反対の方向が開口するように折り曲げられて並行に延びる一対の腕部９、９とを有している。このガイド３をカッター本体２の先端部に固定する固定部材４は、この実施例では、略コの字状をしていて、コの字状になっている下辺部の内表面に、ガイド３の固定部８が嵌め込まれる並行な溝１１、１１を示している。この溝１１、１１はなくともよいが、あった方がガイド３をカッター本体２にしっかり固定でき、作業者がこのガイド付きカッター１を使用中にガイド３がより動き難くなり、安全上より好ましい。尚、固定部材４は、図２に示す形状に限定されるものではなく、ガイド３をカッター本体２に装着できるものであれば他の形状のものでもよい。
【００１５】
ここで、板状刃６の切り裂き方向、すなわち、刃の切り裂き方向とは、刃で対象物を切り裂く方向である。具体的に示すと、図１に示すガイド付きカッター１の場合には、板状刃６の刃先の方向である下方、矢印Ａの方向をいう。
また、板状刃６の切り裂き方向と垂直の方向とは、後述する図４に示すように本発明のガイド付きカッターを真横から見る方向をいう。
【００１６】
前述したカッター本体２にガイド３を組み付ける場合には、まず固定部材４の溝１１、１１にガイド３の固定部８を嵌め込み、この状態でコの字状になっている固定部材４の開口側からカッター本体２を挿入するか、図２において固定部材４の右側から板状刃６の先端側を先頭にしてカッター本体２を差し込んでもよい。
【００１７】
図３は図１に示すガイド付きカッター１を真上、すなわち、板状刃６の切り裂き方向から見た時の図、すなわち平面図を示している。図３に示すように、固定部材４でカッター本体２の先端部に固定されたガイド３の一対の腕部９、９は、板状刃６の切り裂き方向に並行に延びていて、しかもその間隔は、一点鎖線で示されているケーブル２０の外径よりも少し広めに形成されている。
因みに、このようにケーブル２０の長手方向に板状刃６を添わせた場合には、ケーブル２０の外被をケーブル２０の長手方向に切り裂く場合である。
このようにしておくと、ケーブル２０の外被をケーブル２０の長手方向に切り裂く時、腕部９、９がケーブル２０を挟むような状態になるので、外被をケーブル２０の長手方向に直線状にきれいに切り裂くことができ好ましい。
【００１８】
一方、図４はガイド付きカッター１を側面方向、すなわち、板状刃６の切り裂き方向に対して垂直の方向から見た時の図、すなわち側面図である。
この図が示すように、ホルダー５内にスライド自在に収納されている板状刃６の刃先が、板状刃６の切り裂き方向と反対方向に開口するように折り曲げられたガイド３の腕部９の内側、この実施例では略半円形状に折り曲げられた腕部９、９の間に位置するようにガイド３が固定部材４によりカッター本体２の先端部に固定されている。
【００１９】
ここで、一点鎖線で示す符号３０は、図４においてケーブル軸方向が紙面に垂直になるように配置されたケーブルで、このようにケーブル３０を腕部９、９の内側に差し渡すように配置した場合には、ケーブル３０の外被をケーブル３０の軸方向に直角に、すなわち、ケーブル３０の外周に沿って切り裂く場合である。
このようにケーブルをその外周に沿って切り裂く場合に備え、腕部９、９を図４に示すように折り曲げる場合には、想定される最も大きな外径のケーブルでも腕部９、９で抱けるような大きさに折り曲げておく。
尚、図４では腕部９を略半円形状に折り曲げているが、例えば図４で上方に開口する略Ｕの字状に折り曲げたり、略Ｖの字状等他の形状に折り曲げてもよい。
このようにしておけば、手が滑ってケーブル３０から刃先が逃げても、膝や腿に刃先が当る前に腕部９、９が先に膝や腿に当り、刃先が膝等に当るのを効果的に防いでくれる。
【００２０】
このようにしてなる本発明のガイドであれば、市販されている、あるいは日常作業現場で用いられているカッター本体に適当な固定部材で簡単に装着でき、ケーブル等の対象物の、例えば被覆層を研削あるいは切断する作業をより安全に行えるようになる。
また、本発明のガイド付きカッターによれば、刃先を一対の腕部がガードしているため、仮にケーブルの外被を剥ぐ作業を行っている最中に、作業者が手を滑らせてガイド付きカッターがケーブルから外れたとしても、ガイド付きカッターの刃先が作業者の膝や腿に当る前にガイドの腕部が膝や腿に当って、刃先がそれ以上作業者の膝や腿等に接近できない。それ故、ケーブルの皮剥ぎ作業をより安全に行うことができる。
また、前述したように、カッター本体は市販のカッターを用いることもできるので、その場合には、低価格で入手できる利点もある。
【００２１】
ところで前記実施例では剛性棒状体として断面円形の針金を使用しているが、幅が狭く、かつ剛性に優れた、例えば幅が５ｍｍ以下で金属製の平板状棒状態であってもよい。
もちろん、硬質プラスチックも使用できるが、耐久性を考えると金属製である方が好ましい。
また、前記実施例では、本発明のガイド付きカッターで切断する対象物として断面がほぼ円形のケーブルについてのみ説明しているが、これ以外にもその断面が、例えば、多角形の、一例として断面が六角形の杖の如き角柱状のものの表面を削る場合にも、本発明のガイド付きカッターは有効である。
【００２２】
以上に述べたように本発明によれば、低価格で、しかも作業の安全性に優れたガイド及びこれを用いたガイド付きカッターを提供することができる。
【図面の簡単な説明】
【００２３】
【図１】本発明のガイド及びガイド付きカッター一実施例を示す斜視図である。
【図２】図１に示すガイド及び固定部材の分解斜視図である。
【図３】図１に示すガイド付きカッターの平面図である。
【図４】図１に示すガイド付きカッターの側面図である。
【符号の説明】
【００２４】
１  ガイド付きカッター
２  カッター本体
３  ガイド
４  固定部材
５  握り手部
６  板状刃
７  スライダー
８  固定部
９  腕部
１１  溝
【図１】
2008113974.tif 000003
【図２】
2008113974.tif 000004
【図３】
2008113974.tif 000005
【図４】
2008113974.tif 000006